(57)【要約】      （修正有）【課題】教師、生徒、講師、受講者、及びその介助者の利用性の改善と誤操作の防止、表示する教育情報の機密性を向上し、１回の操作で複数のコンテンツを参照できるように実現する。【解決手段】教育を実施する際に使用する複数のＷｅｂ上にある教育情報が格納されている場所を示すアクセス情報をあらかじめＩＣタグに暗号化して書き込み、ＩＣタグまたは、ＩＣカード等を教育情報の表示閲覧者である教師、生徒、講師、受講者、あるいはそれらの介助者に渡し、予めＩＣタグに書き込まれた情報を読み取るＩＣタグリーダー端末を情報処理装置に接続しておくことで、受講者が、複数のアクセス情報を一度の操作で情報処理装置に入力出来る。また、ＩＣタグの書き込み情報の暗号化とＷｅｂ上にある教育情報コンテンツの伝達に使用する伝送路のＶＰＮ化と伝達される教育情報コンテンツの暗号化により機密性を向上させる。【選択図】図１
2013186881.tif 000002
【特許請求の範囲】
【請求項１】
教育のための情報コンテンツを作製し、Ｗｅｂから閲覧できるように情報コンテンツをアップロードし、Ｗｅｂの情報コンテンツから、教育の為の特定の情報コンテンツを選択し、暗号化したアクセス情報をＩＣタグに記録し、教育を行う際に、利用者が教育用ＰＣとＩＣタグリーダー端末などを使いＩＣタグに記録された暗号化したアクセス情報を読み込み、アクセス情報からＷｅｂを閲覧する機能を使い教育情報コンテンツを表示するＩＣタグを利用した教育コンテンツ表示装置
【請求項２】
ＩＣタグに、複数のＷｅｂアクセス情報を書き込み、そのＩＣタグから複数のＷｅｂアクセス情報を一回の読み込み操作で読み取り、その複数のＷｅｂアクセス情報に基づいて、順次又は、一括して、教育情報を入力し表示する機能を持つことを特徴とする、請求項１のＩＣタグを利用した教育コンテンツ表示装置。
【発明の詳細な説明】
【技術分野】
【０００１】  本発明は、Ｗｅｂ情報アクセスによる教育情報を表示するためのＩＣタグを利用した教育コンテンツ表示装置に関するものである。
【背景技術】
【０００２】  従来の教育では、Ｗｅｂ情報を閲覧するためには教師が生徒にＵＲＬを伝え生徒がＰＣにＵＲＬをマニュアルで入力していた。また、情報端末にコンテンツを表示する際ＩＣタグを利用してコンテンツを選択して表示するようにした技術として、特開２００７−５２６４７号公報（特許文献１）、表示部自体やコンテンツ自体のデザインを損なうことなく、表示中のコンテンツの動作を制御することが可能なコンテンツ表示技術の提供として特許公開２００９−１６３６５１（特許文献２）、株式会社日立システムズＣｈｉｐｉｎ／Ｓｈｏｗ（チップインショー），［１２／０３／０２］インターネット検索］，＜ＵＲＬ：
ｈｔｔｐ：／／ｗｗｗ．ｈｉｔａｃｈｉｊｏｈｏ．ｃｏｍ／ｓｏｌｕｔｉｏｎ／ｒｆｉｄ／ｓｈｏｗ／ｉｎｄｅｘ．ｈｔｍｌ＞（非特許文献  添付資料参照）に開示されたものがある。【０００３】  特許文献１に記載されたものは、簡易な操作で適切なコンテンツを提供することができる情報端末を提供することを目的とし、外部から入力された情報に基づいて所定のコンテンツを提供する情報端末において、複数のコンテンツを記憶する記憶部と、外部のＩＣチップから所定の情報を受信する通信部と、記憶部のコンテンツを表示する表示部と、通信部によって受信したＩＣチップの受信情報に基づいて記憶部のコンテンツを選択し、そのコンテンツを表示部に表示させる制御部を備えたものである。【０００４】  特許文献２に記載されたものは、コンテンツ用無線ＩＣタグからコンテンツＩＤを読み取るコンテンツ用読取装置と、動作制御ＩＤを保持する動作制御用無線ＩＣタグから動作制御ＩＤを読み取る動作制御用読取装置と、表示装置と、コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置と、読み取ったコンテンツＩＤに対応するコンテンツを記憶装置から読み出して表示装置に表示させるとともに、読み取った動作制御ＩＤに対応する動作制御（開始，一時停止，早送り，終了など）を記憶装置から読み出して表示装置に表示されたコンテンツに対して実行させる処理装置を具備したものである。【０００５】  非特許文献に開示されたものは、ＩＣタグを利用したコンテンツビューアーシステムで商品名「Ｃｈｉｐｉｎ／Ｓｈｏｗ（チップイン：商標登録第５２０４４２４号）」としてコンテンツ表示システムが開示されている。Ｃｈｉｐｉｎ／Ｓｈｏｗは、ＩＣタグを内蔵した商品・見本品などをリーダー端末にかざすことにより、個々に関連付けしてある動画、静止画、スライドショー、ホームページをディスプレイに表示するシステムである。
【先行技術文献】
【特許文献】
【０００６】
【特許文献１】特開２００７−５２６４７号公報
【特許文献２】特開２００９−１６３６５１号公報
【非特許文献】
【非特許文献】株式会社日立システムズＣｈｉｐｉｎ／Ｓｈｏｗ（チップインショー），［１２／０３／０２］インターネット検索］，＜ＵＲＬ：ｈｔｔｐ：／／ｗｗｗ．ｈｉｔａｃｈｉｊｏｈｏ．ｃｏｍ／ｓｏｌｕｔｉｏｎ／ｒｆｉｄ／ｓｈｏｗ／ｉｎｄｅｘ．ｈｔｍｌ＞
【発明の概要】
【発明が解決しようとする課題】
【０００７】  特許文献１、特許文献２及び非特許文献で開示された技術はＩＣタグがもつＩＤに関連付けられたコンテンツを記憶部から読み出して表示部に表示するようにしただけの技術であり、第三者によるＩＣタグの内容の閲覧、データ改ざんについてのセキュリティ技術、複数のＵＲＬを一回の操作で参照できる機能については特に言及されていない。【０００８】  従来の教育でＷｅｂ情報を閲覧するためには教師が生徒にＵＲＬを伝え生徒がＰＣ（パーソナルコンピュータ）にＵＲＬをマニュアルで入力していた。また、ＩＣタグを利用する方法もあったが、Ｗｅｂ上にある教育情報の表示閲覧者である教師、生徒、講師、受講者、あるいはそれらの介助者は、Ｗｅｂ上にある複数の教育情報の表示をＰＣ上にするためにはＩＣタグをリーダー端末にかざす操作を複数回行う必要があり目的の教育情報を表示させるためには、その教育情報に該当するＩＣタグを選択する必要があった。また、第三者によるＩＣタグの内容閲覧、データの改ざん、インターネット上における第三者による教育情報の閲覧、データの改ざんに対して無防備であるという問題があり、目的の教育情報が表示できない場合や不適切な情報表示及び情報を盗用される場合があった。【０００９】  本発明は、このような従来の構成が有していた問題を解決しようとするものであり、教師、生徒、講師、受講者、及びその介助者の利用性の改善と誤操作の防止、表示する教育情報の機密性を向上し、１回の操作で複数のコンテンツを参照できることが実現することを目的とするＩＣタグを利用した教育コンテンツ表示装置である。
【課題を解決するための手段】
【００１０】本発明は上記目的を達成するために、以下のような構成を有し、これについて図１〜図２に基づいて説明すると
イ）教育実施をする者または計画する者が、教育情報作成及び登録ＰＣ（１）などで        情報コンテンツを作成する。
ロ）教育情報作成及び登録ＰＣ（１）などを利用し教育情報サーバー（２）にネット        ワークを介し、情報コンテンツを登録する。
ハ）教育情報サーバー（２）に接続された暗号化機能付ＶＰＮ装置（９）を介し、Ｗ        ｅｂ（３）にアップロードする。
ニ）アップロードした情報コンテンツ及びすでにこれらの方法によりＷｅｂ（３）に        アップロードされている情報コンテンツから教育に必要な情報コンテンツを選択        し、その教育情報コンテンツのアクセス情報を、ＩＣタグライター端末（５）な        どを利用し、ＩＣタグの情報を暗号化して書き込む。
ホ）ＩＣカードリーダー端末（７）を教育用ＰＣ（８）などの情報処理装置に無線Ｌ        ＡＮを介し接続しておき、Ｗｅｂアクセス情報（４）が記録されたＩＣタグ（６        ）をＩＣタグリーダー端末（７）にかざすか、または、接触すると教育情報コン        テンツのアクセス情報は自動的に教育用ＰＣ（８）に記録される。
ヘ）教育用ＰＣ（８）はＩＣタグ（６）の暗号化されたアクセス情報を入力するとそ        の暗号を解読しアクセス情報に記録されたＷｅｂ（３）上にある情報コンテンツ        が暗号化機能付ＶＰＮ装置（９）を介し自動的に教育用ＰＣ（８）にダウンロー        ドされる。
ト）ダウンロードされた情報コンテンツを教育用ＰＣ（８）で閲覧し利用する。
以上の如く構成されたＩＣタグを利用した教育コンテンツ表示装置である。
【発明の効果】
【００１１】    本発明を利用することで、教師、生徒、講師、受講者あるいはその介助者は、複数のアクセス情報を教育用ＰＣなどの情報処理装置に記録するのに、情報コンテンツが登録されているＩＣタグをネットワークで接続されたＩＣタグリーダー端末にかざすか、リーダー端末に接触させる一回の操作で実施することができる。これにより利用性を向上し、誤操作を減少することが出来る。また、ＩＣタグの書き込み情報の暗号化とＷｅｂ上にある教育情報コンテンツの伝達に使用する伝送路のＶＰＮ化と伝達される教育情報コンテンツの暗号化によって、情報コンテンツの機密性を向上させることができる。
【図面の簡単な説明】
【００１２】
【図１】本発明の実施形態を示す構成図。
【図２】本発明の実施例形態図
【発明を実施するための形態】
【００１３】以下、本発明の実施の形態を図１〜図２に基づいて説明する。
図１において、本発明の実施形態は、教育情報作成及び登録ＰＣ（１）、教育情報サーバー（２）、Ｗｅｂ（３）、Ｗｅｂアクセス情報（４）、ＩＣタグライター端末（５）、ＩＣタグ（ＩＣカード等）（６）、ＩＣタグリーダー端末（７）、教育用ＰＣ（８）、暗号化機能付きＶＰＮ装置（９）により構成されている。
【００１４】図２において、本発明の実施形態の特徴は、教育に使う情報の表示や表現に、インターネット上で情報を公開する仕組みであるワールドワイドウェブ（ここではＷｅｂ（３）という）と、公開された情報の中から教育に必要な情報を特定する情報であるＵＲＬ（Ｕｎｉｆｏｒｍ  Ｒｅｓｏｕｒｃｅ  Ｌｏｃａｔｏｒ（ユニフォームリソースロケータ）を、ここではアクセス情報（４）または、暗号化されたアクセス情報（４‘）というアクセス情報を用い、教育情報の表示のためのアクセス情報の保持の為にＩＣタグ（６）を用いているが、ＩＣタグ（６）に暗号化されたアクセス情報（４）を保持し、インターネット上で伝達される仕組みに暗号化機能のついたＶＰＮを用い、そこで伝達される教育情報を暗号化し、複数の暗号化されたアクセス情報（４）を一つのＩＣタグ（６）で保持するようにして一度の操作で複数の暗号化されたアクセス情報（４）を得られる機能を持ち、暗号化されたアクセス情報（４）を読み出すＩＣタグリーダー端末（７）と教育用ＰＣ（８）によって解読したアクセス情報（４’）から教育情報を表示する教育用ＰＣ（８）の間の情報伝達方法として無線通信を用い、機密性と操作性を向上し、端末の設置場所の制限を緩和させた点にある。
【００１５】以下、本発明の実施形態について、動作を説明する。
イ）教育実施をする者または計画する者が、教育情報作成及び登録ＰＣ（１）などで情      報コンテンツを作成する。
ロ）教育情報作成及び登録ＰＣ（１）などを利用し教育情報サーバー（２）にネットワ      ークを介し、情報コンテンツを登録する。
ハ）教育情報サーバー（２）に接続された暗号化機能付ＶＰＮ装置（９）を介し、Ｗｅ      ｂ（３）にアップロードする。
ニ）アップロードした情報コンテンツ及びすでにこれらの方法によりＷｅｂ（３）にア      ップロードされている情報コンテンツから教育に必要な情報コンテンツを選択し、      その教育情報コンテンツのアクセス情報を、ＩＣタグライター端末（５）などを利      用し、ＩＣタグの情報を暗号化して書き込む。
ホ）ＩＣカードリーダー端末（７）を教育用ＰＣ（８）などの情報処理装置に無線ＬＡ      Ｎを介し接続しておき、Ｗｅｂアクセス情報（４）が記録されたＩＣタグ（６）を      ＩＣタグリーダー端末（７）にかざすか、または、接触すると教育情報コンテンツ      のアクセス情報は自動的に教育用ＰＣ（８）に記録される。
ヘ）  教育用ＰＣ（８）はＩＣタグ（６）の暗号化されたアクセス情報を記録するとそ      の暗号を解読しアクセス情報に記録されたＷｅｂ（３）上にある情報コンテンツが      暗号化機能付ＶＰＮ装置（９）を介し自動的に教育用ＰＣ（８）にダウンロードさ      れる。
ト）  ダウンロードされた情報コンテンツを教育用ＰＣ（８）で閲覧し利用する。
以上の如く構成されたＩＣタグを利用した教育コンテンツ表示装置である。
【実施例】
【００１６】図１〜図２を用いて本装置を説明すると、教育を実施する者、あるいは、教育を計画する者が、教育情報を作成し、Ｗｅｂ上で教育情報コンテンツを公開すると、そのＷｅｂアクセス情報（４）が得られる。あるいは、既にＷｅｂ上で公開された情報の中から、教育に適切な情報を発見した場合、そのＷｅｂアクセス情報（４）が得られる。【００１７】得られたＷｅｂアクセス情報（４‘）を、教育情報サーバー（２）から、あるいは、マニュアルで教育情報作成及び登録ＰＣ（１）に入力する。【００１８】教育情報作成及び登録ＰＣ（１）に入力した複数のアクセス情報（４´）を暗号化して教育情報作成及び登録ＰＣ（１）に接続したＩＣタグライター端末（５）でＩＣタグ（６）に記録する。【００１９】教育情報作成者は、複数の暗号化したアクセス情報（４）が記録されたＩＣタグ（６）を、教育を実施する際に、教師、生徒、講師、受講者、または、それらの介助者に渡す。【００２０】ＩＣタグ（６）の内容を読み取ることが出来るＩＣタグリーダー端末（７）を教育用ＰＣ（８）に接続し、教育用ＰＣ（８）は、Ｗｅｂから特定の教育情報を参照するため、インターネットに接続しておく。教育用ＰＣ（８）は、暗号化機能付ＶＰＮ装置（９）を介して、インターネットに接続する。【００２１】受講者等が、教育に必要な教育情報を参照するため、複数の暗号化したアクセス情報（４）が書き込まれたＩＣタグ（６）を、ＩＣカードリーダー端末（７）にかざすか、接触させると、複数の暗号化したアクセス情報（４）は、教育用ＰＣ（８）に入力され、それらのアクセス情報（４´）を使用して、Ｗｅｂ上に登録されている、複数の教育情報を順次教育用ＰＣにダウンロードし表示する。
【符号の説明】
【００２２】１  教育情報作成及び登録ＰＣ
２  教育情報サーバー
３  Ｗｅｂ
４  暗号化されたアクセス情報
４´アクセス情報
５  ＩＣタグライター端末
６  ＩＣタグ（ＩＣカード等）
７  ＩＣタグリーダー端末
８  教育用ＰＣなど
９  暗号化機能付きＶＰＮ装置
【図１】
2013186881.tif 000003
【図２】
2013186881.tif 000004